(57)【要約】【課題】有害汚染物質の保管のための安全確実な容器を大量に安価に供給する。また、その保管場所の地代等の負担を十分に軽減できるようにする。【解決手段】無機質ケイ酸を主成分とする止水処理剤により、外表面を改質処理した多孔質石材容器を汚染物の保管場所に配列する。コンクリート等の安価な多孔質石材容器の外表面を改質処理して止水塗膜を形成しておけば、長期間、十分な密閉性を保持したまま野路で汚染物質を保管できる。【選択図】図１
2013088235.tif 000002
【特許請求の範囲】
【請求項１】
無機質ケイ酸を主成分とする止水処理剤により、外表面を改質処理した多孔質石材容器を汚染物の保
管場所に配列したことを特徴とする汚染物質保管施設。
【請求項２】
請求項１に記載の汚染物質保管施設において、
前記改質処理は、前記多孔質石材容器の表面から前記止水剤を含浸させて止水壁を形成し、かつ、前
記多孔質石材容器の表面に前記止水剤による均一な止水性塗膜を形成することを特徴とする汚染物質保
管施設。
【請求項３】
請求項１または２に記載の汚染物質保管施設において、
前記多孔質石材容器は、コンクリート板材から成ることを特徴とする汚染物質保管施設。
【請求項４】
請求項１乃至３のいずれかに記載の汚染物質保管施設において、
前記多孔質石材容器は、ＡＬＣ（Autoclaved Lightweight aerated Concrete）板材から成ることを
特徴とすることを特徴とする汚染物質保管施設。
【請求項５】
請求項１乃至３のいずれかに記載の汚染物質保管施設において、
前記多孔質石材容器は、自然石から成ることを特徴とする汚染物質保管施設。
【請求項６】
請求項１乃至５のいずれかに記載の汚染物質保管施設において、
前記多孔質石材容器には、内面及び外面の両方が、無機質ケイ酸を主成分とする止水処理剤により改
質処理されていることを特徴とする汚染物質保管施設。
【請求項７】
請求項１乃至６のいずれかに記載の汚染物質保管施設において、
前記改質処理は、前記汚染物を収容した前記多孔質石材容器の蓋部と器部の隙間に、前記止水剤を浸
透させて止水壁を形成し、かつ、前記隙間を封止する止水壁を形成することを特徴とする汚染物質保管
施設。
【請求項８】
請求項１乃至７のいずれかに記載の汚染物質保管施設において、
前記配列された容器の上面には、前記容器に照射される日光の直射を防ぐ位置に、太陽光発電パネル
が配置されていることを特徴とする汚染物質保管施設。
【発明の詳細な説明】
【技術分野】
【０００１】
本発明は、例えば、放射性物質を含む汚染物質が無害化するまで長期間保管をするために使用する汚
染物質保管施設に関する。
【背景技術】
【０００２】
原子力発電所の事故により飛散した放射性物質が、様々な場所で環境を汚染している。汚染濃度の高
い地域では、道路等の表面の土を削り取るといった処理が行なわれている。この場合に、大量の汚泥等
の汚染物質の処分方法が問題になっている。高濃度の放射性物質については、各種の処理技術が紹介さ
れている（特許文献１）。
【先行技術文献】
【特許文献】
【０００３】
【特許文献１】特開２００２−２８６２７号公報
【発明の概要】
【発明が解決しようとする課題】
【０００４】
既知の従来の技術には、次のような解決すべき課題があった。低濃度の放射性汚染物質はきわめて大
量に発生する。たとえそれを濃縮できたとしてもなお、広大な処分地が必要になる。それらが無害化す
るまで、処分地に長期間保管せねばならないが、その間に汚染物質が流出したり飛散したりするような
保管方法は採用できない。
上記の課題を解決するために、本発明は次のような汚染物質保管施設及びその保管方法を提供するこ
とを目的とする。
（１）保管のための安全確実な容器を大量に安価に供給する。
（２）保管場所の地代等の負担を十分に軽減できるようにする。
【課題を解決するための手段】
【０００５】
以下の構成はそれぞれ上記の課題を解決するための手段である。
〈構成１〉
無機質ケイ酸を主成分とする止水処理剤により、外表面を改質処理した多孔質石材容器を汚染物の保
管場所に配列したことを特徴とする汚染物質保管施設。
【０００６】
〈構成２〉
構成１に記載の汚染物質保管施設において、前記改質処理は、前記多孔質石材容器の表面から前記止
水剤を含浸させて止水壁を形成し、かつ、前記多孔質石材容器の表面に前記止水剤による均一な止水性
塗膜を形成することを特徴とする汚染物質保管施設。
【０００７】
〈構成３〉
構成１または２に記載の汚染物質保管施設において、前記多孔質石材容器は、コンクリート板材から
成ることを特徴とする汚染物質保管施設。
【０００８】
〈構成４〉
構成１乃至３のいずれかに記載の汚染物質保管施設において、前記多孔質石材容器は、ＡＬＣ
（Autoclaved Lightweight aerated Concrete）板材から成ることを特徴とすることを特徴とする汚染
物質保管施設。
【０００９】
〈構成５〉
構成１乃至３のいずれかに記載の汚染物質保管施設において、前記多孔質石材容器は、自然石から成
ることを特徴とする汚染物質保管施設。
【００１０】
〈構成６〉
構成１乃至５のいずれかに記載の汚染物質保管施設において、前記多孔質石材容器には、内面及び外
面の両方が、無機質ケイ酸を主成分とする止水処理剤により改質処理されていることを特徴とする汚染
物質保管施設。
【００１１】
〈構成７〉
構成１乃至６のいずれかに記載の汚染物質保管施設において、前記改質処理は、前記汚染物を収容し
た前記多孔質石材容器の蓋部と器部の隙間に、前記止水剤を浸透させて止水壁を形成し、かつ、前記隙
間を封止する止水壁を形成することを特徴とする汚染物質保管施設。
【００１２】
〈構成８〉
構成１乃至７のいずれかに記載の汚染物質保管施設において、前記配列された容器の上面には、前記
容器に照射される日光の直射を防ぐ位置に、太陽光発電パネルが配置されていることを特徴とする汚染
物質保管施設。
【発明の効果】
【００１３】
〈構成１の効果〉
コンクリート等の安価な多孔質石材容器の外表面を改質処理して止水塗膜を形成しておけば、長期間
、十分な密閉性を保持したまま野路で汚染物質を保管できる。
〈構成２の効果〉
多孔質石材容器の表面から前記止水剤を含浸させて所定の厚みの止水壁を形成するとともに、最外層
に止水剤による均一な止水性塗膜を形成すれば、機械的強度も耐候性も優れた密閉容器となる。
〈構成３の効果〉
一般のコンクリート板材が最も製造し易い。また、適度な密度の多孔質材となるから、止水処理のた
めの改質に最も適している。
〈構成４の効果〉
建材として汎用されているＡＬＣを使用することで、容器を安価に大量生産できる。また、多孔質材
であり、止水処理のための改質に適している。
〈構成５の効果〉
自然石の場合には、比較的強度の高い容器が提供できる。
〈構成６の効果〉
容器の内面及び外面に止水処理をすれば、容器の耐久性が向上する。
〈構成７の効果〉
容器本体に蓋をした後に、容器本体と蓋の隙間まで密閉されるように、止水剤による改質処理を施す
と、容器に別途密閉用のシール材等を設ける必要がなくなる。
〈構成８の効果〉
容器への日光の直射を避ける日除けに、太陽光発電パネルを使用すれば、容器の温度上昇を防ぎ、容
器の劣化を抑制し、かつ、売電により施設の管理費等を捻出できる。
【図面の簡単な説明】
【００１４】
【図１】本発明の汚染物質保管施設の主要部を示し、（ａ）は分解斜視図、（ｂ）はＡ−Ａ線に沿う横断面図である。
【図２】実施例３の多孔質石材容器を示し、（ａ）はその外観斜視図、（ｂ）はＢ−Ｂ線に沿う主要部拡大横断面図である。
【図３】汚染物質保管施設の実施例斜視図である。
【図４】本発明の変形例の斜視図である。
【発明を実施するための形態】
【００１５】
以下、本発明の実施の形態を実施例毎に詳細に説明する。
【実施例１】
【００１６】
図１は本発明の汚染物質保管施設の主要部を示し、（ａ）は分解斜視図、（ｂ）はＡ−Ａ横断面図で
ある。
後で図３を用いて説明する汚染物質保管施設には、図１（ａ）に示すような多孔質石材容器１７を多
数配列する。多孔質石材容器１７は、例えば、縦１ｍ、横２ｍ、高さ１ｍのコンクリート製の箱とする
。この中に、例えば、汚染物質を詰めたポリエチレン製の袋２０を収納する。
【００１７】
多孔質石材容器１７は、蓋部１８と器部１９とで構成される。器部１９に蓋部１８を被せて封印する
。ここで、図１（ｂ）に示すように、蓋部１８と器部１９の外表面１４を止水処理剤により、改質処理
する。蓋部１８と器部１９を共にコンクリートのような多孔質石材にしたのは、止水処理剤がある程度
の深さまで浸透して、堅固で安定な止水壁１６を形成することができるからである。単に容器の表面に
止水性の塗膜を形成するよりも、圧倒的に長期安定性に優れている。
【００１８】
止水処理剤は、無機質ケイ酸を主成分とするものが好ましい。例えば、株式会社ＮＮＣコーポレーシ
ョン社製のナノコンシーラ（商品名）が適する。コンクリート板の表面に塗布すると、表面状態にもよ
るが、６ｍｍ〜２０ｍｍ程度浸透して、堅固な止水壁１６を形成することができる。
【００１９】
蓋部１８と器部１９を工場で生産するとき、最終工程で上記の改質処理を行えばよい。またあるいは
、汚染物入り袋２０を収容して器部１９に蓋部１８を被せた後に、止水処理剤を塗布するようにしても
構わない。容器の外側から処理をすることができるので非常に作業性が良いという特徴がある。
【００２０】
汚染物の保管場所にこの容器を多数配列して、例えば、放射線量が安全なレベルになるまで、長期間
保存する。野積みにする場合には、太陽光や風雨にさらされて、容器の表面から劣化が始まる。上記の
止水壁１６は長期間安定にコンクリート板全体を保護する。
【実施例２】
【００２１】
上記の実施例では、多孔質石材容器１７にコンクリート板を使用した、コンクリート板材は製造し易
くコストも安い。また、適度な密度の多孔質材となるから、止水処理のための改質に適している。特に
、一般住宅用建材に使用されるＡＬＣ（Autoclaved Lightweight aerated Concrete）板材は、大量に
生産され、サイズも取り扱いも容易で、本発明の多孔質石材容器１７に最適である。
【００２２】
また、山から切り出した石棺、即ち、自然石を使用することもできる。その場合にも、止水処理剤が
浸透する多孔質材が好ましい。多数のひび割れを有する石棺を止水処理剤で改質して使用することがで
きる。また、上記の例では、容器の外側のみを改質処理したが、蓋部１８と器部１９の内面及び外面の
両方を、無機質ケイ酸を主成分とする止水処理剤により改質処理して、さらに耐久性を高めることがで
きる。
【実施例３】
【００２３】
図２は実施例３の多孔質石材容器を示し、（ａ）はその外観斜視図、（ｂ）はＢ−Ｂ線に沿う主要部
拡大横断面図である。
図２（ａ）に示すように、汚染物入り袋２０を収容して器部１９に蓋部１８を被せて、汚染物質保管
施設に配列した後に、止水処理剤を塗布して、さらに強固に止水処理をすることができる。
【００２４】
この例では、図２（ｂ）に示すように、蓋部１８と器部１９の隙間に、前記止水剤を浸透させて止水
壁１６を形成し、かつ、前記隙間を封止する止水壁１６を形成する。例えば、蓋部１８と器部１９には
、予めその外表面に止水壁１６が形成されているものとする。蓋部１８を器部１９に被せた後に、全体
に止水処理剤を塗布して、止水性塗膜２２を形成する。止水壁１６の表面にさらに強固な塗膜が形成さ
れて、耐久性を向上させることができる。
【００２５】
さらに、蓋部１８と器部１９の隙間に、止水処理剤を十分に塗布すると、図２（ｂ）に示すように、
両者の対向面に止水壁１６が形成される。これと同時に、蓋部１８と器部１９の隙間に染み込んだ止水
処理剤が、隙間全体を封止する止水壁１６を形成する。即ち、この部分の止水壁１６が一体化して、蓋
部１８と器部１９の隙間を完全に封止する。
【００２６】
容器に蓋をした後に、蓋部１８と器部１９の隙間まで完全に密閉されるので、長期間、風雨や太陽光
に曝されて気密性を損なったり、容器の内部に収容された汚染物質が外部に漏れ出すようなことがない
。
【実施例４】
【００２７】
図３は、汚染物質保管施設１０の実施例斜視図である。
例えば、図のように、汚染物の保管場所に、上記の実施例で説明した容器を多数配列する。例えば、
器部１９の底にはフォークリフトの爪を差し込む凹部２８を設けておく。これにより、図３のように容
器を２段あるいは数段積み上げて保管場所を有効に利用できる。
【００２８】
ここで、夏期にこれらの容器に直射日光が当たると容器の劣化が促進される。また、容器の内部が高
温になり、内圧が高まって、汚染性のガス漏れを発生させるおそれがある。そこで、この実施例では、
汚染物質保管施設１０に配列した容器の上面であって、容器に照射される日光の直射を防ぐ位置にボー
ド２４を設けた。そして、ボード２４上に太陽光発電パネル２６を配列した。
【００２９】
このように、容器への日光の直射を避ける日除けに、太陽光発電パネルを使用すれば、容器の温度上
昇を防ぎ、容器の劣化を抑制し、かつ、売電により汚染物質保管施設１０の管理費等を捻出できるとい
う効果がある。
【実施例５】
【００３０】
図４は本発明の変形例の斜視図である。
上記の実施例では、多数の容器を配列したものの上面に大サイズのボードと太陽光パネルを配置した
。しかしながら、図４（ａ）に示すように、個々の容器の壁面に太陽光パネルを固定することも可能で
ある。また、上記の実施例の容器はフォークリフトで運搬可能なコンテナサイズのものとしたが、図４
（ｂ）に示すように、小屋や倉庫状の大サイズの容器にも本発明が同様に適用できる。
【符号の説明】
【００３１】
１０  汚染物質保管施設
１４  外表面
１６  止水壁
１７  多孔質石材容器
１８  蓋部
１９  器部
２０  汚染物入り袋
２２  止水性塗膜
２４  ボード
２６  太陽光発電パネル
２８  凹部
【図１】
2013088235.tif 000003
【図２】
2013088235.tif 000004
【図３】
2013088235.tif 000005
【図４】
2013088235.tif 000006